(57)【特許請求の範囲】
【請求項１】
予め制限された制限車速よりも走行車速が高くなるときに、車速制限動作を行って上記走行車速を上記制限車速に制限する車両の車速制限装置であって、
上記走行車速は、アクセル開度によって要求されるスロットル開度に応じて設定されている一方、上記制限車速は、上記スロットル開度に制限を加えた制限スロットル開度に応じて設定されており、
上記スロットル開度に応じた走行車速に基づいて自動変速機の変速比を設定する変速制御手段と、
上記アクセル開度がキックダウン位置まで踏み込まれた場合に上記車速制限動作を解除する車速制限解除手段と、
アクセル開度を検出するアクセル開度検出手段と、
上記アクセル開度検出手段により検出されたアクセル開度によりそのアクセル開度の変化割合を算出するアクセル開度変化割合算出手段と、
上記アクセル開度がキックダウン位置まで踏み込まれたことに伴って上記車速制限解除手段により車速制限動作が解除された場合に、上記アクセル開度がキックダウン位置まで踏み込まれる直前に上記アクセル開度変化割合算出手段により算出されたアクセル開度の変化割合に応じて、上記車速制限動作が解除された後に上記変速制御手段により設定される自動変速機の変速比を変更する変速比変更手段と
を備えていることを特徴とする車両の車速制限装置。
【請求項２】
請求項１記載の車両の車速制限装置において、
上記変速比変更手段は、
上記車速制限動作が解除された際の変速比を、上記アクセル開度がキックダウン位置まで踏み込まれる直前のアクセル開度の変化割合が小さいほど小さく変更している一方、上記アクセル開度がキックダウン位置まで踏み込まれる直前のアクセル開度の変化割合が大きいほど大きく変更していることを特徴とする車両の車速制限装置。
【請求項３】
請求項１記載の車両の車速制限装置において、
車両に前後方向から作用する前後走行負荷の度合いを検出する前後走行負荷検出手段を備え、
上記変速比変更手段は、
上記車速制限動作が解除されたときの変速比を、上記アクセル開度がキックダウン位置まで踏み込まれる直前に上記アクセル開度変化割合算出手段により算出されたアクセル開度の変化割合および上記前後走行負荷検出手段により検出された前後走行負荷の度合いに応じて変更していることを特徴とする車両の車速制限装置。
【請求項４】
請求項３に記載の車両の車速制限装置において、
上記変速比変更手段は、
上記アクセル開度の変化割合が小さいほど小さく変更される変速比を、上記前後走行負荷検出手段により検出された前後走行負荷の度合いが大きいときに大きく変更し直す一方、上記アクセル開度の変化割合が大きいほど大きく変更される変速比を、上記前後走行負荷検出手段により検出された前後走行負荷の度合いが小さいときに小さく変更し直していることを特徴とする車両の車速制限装置。
【請求項５】
請求項１記載の車両の車速制限装置において、
ステアリング舵角の度合いまたは車両に左右方向から作用する横加速度の度合いを検出する左右負荷検出手段を備え、
上記変速比変更手段は、上記車速制限動作が解除されたときの変速比を、上記アクセル開度変化割合算出手段により算出されたアクセル開度の変化割合および上記左右負荷検出手段により検出されたステアリング舵角の度合いまたは横加速度の度合いに応じて変更していることを特徴とする車両の車速制限装置。
【請求項６】
請求項５に記載の車両の車速制限装置において、
上記変速比変更手段は、
上記アクセル開度の変化割合が小さいほど小さく変更される変速比を、上記左右負荷検出手段により検出されたステアリング舵角の度合いまたは横加速度の度合いが小さいときに大きく変更し直す一方、上記アクセル開度の変化割合が大きいほど大きく変更される変速比を、上記左右負荷検出手段により検出されたステアリング舵角の度合いまたは横加速度の度合いが大きいときに小さく変更し直していることを特徴とする車両の車速制限装置。
【請求項７】
請求項１〜請求項６のいずれか１つに記載の車両の車速制限装置において、
上記変速比変更手段は、
上記車速制限動作が解除されたときの変速比を、アクセル開度、または車両の原動機の回転数とトルクコンバータのタービン回転数との差回転、および車速により設定された第１の変速比判断条件と、この第１の変速比判断条件とは異なる第２の変速比判断条件とに基づいて変更するように切り換える切換スイッチを備え、
上記切換スイッチは、車両の性格、または車両の原動機が発生する出力に応じて切り換えられるようにしていることを特徴とする車両の車速制限装置。
【発明の詳細な説明】
【技術分野】
【０００１】
本発明は、予め設定された制限車速よりも走行車速が高くなるときに車速制限動作によって走行車速を制限車速に制限する車両の車速制限装置に関し、詳しくは、車速制限動作を解除したときの運転者の意図に応じた変速比への変更を可能にする対策に係る。
【背景技術】
【０００２】
近年より、予め設定された制限車速の範囲内での車両の走行を可能にする車速制限装置が知られている。この車速制限装置では、運転者によるアクセルペダルの開度（アクセル開度）に連動するスロットル開度よって要求される走行車速が、予め設定された制限車速よりも高くなるときに、車速制限動作を行ってスロットル開度を小さく変更し、上記走行車速を上記制限車速に制限することが行われる。
【０００３】
そして、緊急時の加速や追い越し時の加速を必要とする場合には、車速制限装置による車速制限動作を車速制限解除手段により解除することで、運転者のアクセル開度に反映した加速が得られるようにしている。この車速制限解除手段としては、アクセル開度を検出するアクセル開度検出手段によって検出されたアクセル開度が所定の開度以上であるときに車速制限装置による車速制限動作を解除するようにしたものが従来より知られている（例えば、特許文献１参照）。また、アクセル開度がキックダウン位置まで踏み込まれたときに、車速制限装置による車速制限動作を解除するようにした車速制限解除手段もある。
【特許文献１】特開２００６−２９９９０９号公報
【発明の開示】
【発明が解決しようとする課題】
【０００４】
ところで、上記従来のものでは、車速制限装置による車速制限動作を解除するに当たって、アクセル開度を所定の開度以上踏み込んだり、アクセル開度をキックダウン位置まで踏み込む必要がある。その場合、アクセル開度に応じた走行車速に基づいて自動変速機の変速比が設定されていることから、車速制限装置による車速制限動作が解除された途端に変速比が変更されると、運転者が意図する加速以上の加速が行われることになる。これは、車速制限装置による車速制限動作を解除するに当たって踏み込んだアクセル開度によって、変速比が大きく変更、つまり走行車速に基づいて設定されていた変速比が実現可能な限り小さな変速比に一気に変更されるおそれがあるからであり、これでは、運転者が緩加速を要求しているにもかかわらず、アクセル開度の踏み込み位置に応じて変速比が変更されることになり、運転者の意図に沿った加速を実現することができない。
【０００５】
本発明は、かかる点に鑑みてなされたものであり、その目的とするところは、車速制限装置による車速制限動作を解除した際に運転者の意図に沿った加速を実現することができる車両の車速制限装置を提供することにある。
【課題を解決するための手段】
【０００６】
上記目的を達成するため、本発明では、予め制限された制限車速よりも走行車速が高くなるときに、車速制限動作を行って上記走行車速を上記制限車速に制限する車両の車速制限装置を前提とし、上記走行車速を、アクセル開度によって要求されるスロットル開度に応じて設定している一方、上記制限車速を、上記スロットル開度に制限を加えた制限スロットル開度に応じて設定している。更に、上記スロットル開度に応じた走行車速に基づいて自動変速機の変速比を設定する変速制御手段と、上記アクセル開度がキックダウン位置まで踏み込まれた場合に上記車速制限動作を解除する車速制限解除手段と、アクセル開度を検出するアクセル開度検出手段と、上記アクセル開度検出手段により検出されたアクセル開度によりそのアクセル開度の変化割合を算出するアクセル開度変化割合算出手段と、上記アクセル開度がキックダウン位置まで踏み込まれたことに伴って上記車速制限解除手段により車速制限動作が解除された場合に、上記アクセル開度がキックダウン位置まで踏み込まれる直前に上記アクセル開度変化割合算出手段により算出されたアクセル開度の変化割合に応じて、上記車速制限動作が解除された後に上記変速制御手段により設定される自動変速機の変速比を変更する変速比変更手段とを備えている。
【０００７】
この特定事項により、車速制限動作を解除するに当たり、アクセル開度をキックダウン位置まで踏み込んで、車速制限動作が解除されても、その車速制限動作が解除された際の変速比は、上記アクセル開度がキックダウン位置まで踏み込まれる直前にアクセル開度変化割合算出手段により算出されたアクセル開度の変化割合に応じたものに変更される。つまり、車速制限動作を解除するに当たって、キックダウン位置まで踏み込まれていても、上記アクセル開度がキックダウン位置まで踏み込まれる直前の運転者の意図を反映するアクセル開度の変化割合に応じて変速比が変更されることになる。これにより、車速制限解除手段により車速制限動作が解除された際に運転者の要求する加速が得られ、運転者の意図に沿った加速を実現することが可能となる。
【０００８】
また、車速制限動作が解除された際の変速比が、その車速制限動作が解除される直前のアクセル開度の変化割合に応じて変更されることにより、運転者によるアクセルペダルの踏み込み方次第で車速制限動作が解除された際の変速比が決定されることになる。これにより、高出力の原動機を備えた車両やファミリータイプの車両などの穏やかな加速を要求する車両や、低出力の原動機を備えた車両やスポーツタイプの車両などの強力な加速を要求する車両などのように性格の相反する車両に対して別個の制御プログラムを複数用意して車速制限動作が解除された際の変速比を個々に決定しなくとも単一の制御プログラムによって運転者の望む加速が得られ、車速制限動作が解除された際の変速比を決定する制御プログラムの共用化を図ることが可能となる。
【００１１】
特に、変速比変更手段をより具体的に特定するものとして、以下の構成が掲げられる。つまり、上記変速比変更手段により、上記車速制限解除手段により車速制限動作が解除された際の変速比を、上記アクセル開度がキックダウン位置まで踏み込まれる直前のアクセル開度の変化割合が小さいほど小さく変更している一方、上記アクセル開度がキックダウン位置まで踏み込まれる直前のアクセル開度の変化割合が大きいほど大きく変更している。
【００１２】
この特定事項により、車速制限動作が解除された際の変速比の変更は、運転者が緩加速を要求しているときには運転者の意図を反映するアクセル開度の小さな変化割合に応じて低速側に僅かに変更されるように小さなものとなる一方、運転者が急加速を要求しているときには運転者の意図を反映するアクセル開度の大きな変化割合に応じてより低速側に変更されるように大きなものとなる。これにより、車速制限動作が解除された際に運転者の要求する加速がアクセル開度の変化割合に応じて的確に得られ、運転者の意図に沿った加速を実現することが可能となる。
【００２３】
特に、変速比変更手段による変速比の変更をアクセル開度の変化割合に加え他のパラメータにより行うものとして、以下の構成が掲げられる。つまり、車両に前後方向から作用する前後走行負荷の度合いを検出する前後走行負荷検出手段を備えている。そして、上記変速比変更手段によって、上記車速制限解除手段により車速制限動作が解除されたときの変速比を、上記アクセル開度がキックダウン位置まで踏み込まれる直前に上記アクセル開度変化割合算出手段により算出されたアクセル開度の変化割合および上記前後走行負荷検出手段により検出された前後走行負荷の度合いに応じて変更している。
【００２４】
この特定事項により、車速制限動作が解除された際の変速比は、アクセル開度がキックダウン位置まで踏み込まれているにもかかわらず、運転者の意図を反映するアクセル開度の変化割合と車両に前後方向から作用する前後走行負荷の度合いとに応じて変更されることになる。これにより、車速制限動作が解除された際に運転者の要求する加速がアクセル開度の変化割合および車両の前後走行負荷の度合いに応じて的確に得られ、運転者の意図に沿った加速を前後走行負荷の度合いを考慮しつつ円滑に実現することが可能となる。
【００２５】
そして、アクセル開度の変化割合に加え他のパラメータにより行う場合の変速比変更手段による変速比の変更をより具体的に特定するものとして、以下の構成が掲げられる。つまり、上記変速比変更手段によって、上記アクセル開度の変化割合が小さいほど小さく変更される変速比を、上記前後走行負荷検出手段により検出された前後走行負荷の度合いが大きいときに大きく変更し直す一方、上記アクセル開度の変化割合が大きいほど大きく変更される変速比を、上記前後走行負荷検出手段により検出された前後走行負荷の度合いが小さいときに小さく変更し直している。
【００２６】
この特定事項により、車速制限動作が解除された際の変速比の変更は、運転者が緩加速を要求しているときには運転者の意図を反映するアクセル開度の小さな変化割合に応じて低速側に僅かに変更されるように小さなものとなるが、前後走行負荷の度合いが大きければ大きく変更し直している。一方、運転者が急加速を要求しているときには運転者の意図を反映するアクセル開度の大きな変化割合に応じてより低速側に変更されるように大きなものとなるが、前後走行負荷の度合いが小さければ小さく変更し直している。これにより、車速制限動作が解除された際に運転者の要求する加速がアクセル開度の変化割合のみならず車両に作用する前後走行負荷の度合いに応じてより的確に得られ、運転者の意図に沿った加速を前後走行負荷の度合いを考慮しつつより円滑に実現することが可能となる。
【００２７】
これに対し、変速比変更手段による変速比の変更をアクセル開度の変化割合に加えその他のパラメータにより行うものとして、以下の構成が掲げられる。つまり、ステアリング舵角の度合いまたは車両に左右方向から作用する横加速度の度合いを検出する左右負荷検出手段を備えている。そして、上記変速比変更手段によって、上記車速制限解除手段により車速制限動作が解除されたときの変速比を、上記アクセル開度変化割合算出手段により算出されたアクセル開度の変化割合および上記左右負荷検出手段により検出されたステアリング舵角の度合いまたは横加速度の度合いに応じて変更している。
【００２８】
この特定事項により、車速制限動作が解除された際の変速比は、アクセル開度がキックダウン位置まで踏み込まれているにもかかわらず、運転者の意図を反映するアクセル開度の変化割合と車両に左右方向から作用するステアリング舵角の度合いまたは横加速度の度合いとに応じて変更されることになる。これにより、車速制限動作が解除された際に運転者の要求する加速がアクセル開度の変化割合および車両のステアリング舵角の度合いまたは横加速度の度合いに応じて安心して得られ、運転者の意図に沿った加速をステアリング舵角の度合いまたは横加速度の度合いを考慮しつつ安全に実現することが可能となる。
【００２９】
そして、アクセル開度の変化割合に加えその他のパラメータにより行う場合の変速比変更手段による変速比の変更をより具体的に特定するものとして、以下の構成が掲げられる。つまり、上記変速比変更手段によって、上記アクセル開度の変化割合が小さいほど小さく変更される変速比を、上記左右負荷検出手段により検出されたステアリング舵角の度合いまたは横加速度の度合いが小さいときに大きく変更し直す一方、上記アクセル開度の変化割合が大きいほど大きく変更される変速比を、上記左右負荷検出手段により検出されたステアリング舵角の度合いまたは横加速度の度合いが大きいときに小さく変更し直している。
【００３０】
この特定事項により、車速制限動作が解除された際の変速比の変更は、運転者が緩加速を要求しているときには運転者の意図を反映するアクセル開度の小さな変化割合に応じて低速側に僅かに変更されるように小さなものとなるが、ステアリング舵角の度合いまたは横加速度の度合いが小さければ大きく変更し直している。一方、運転者が急加速を要求しているときには運転者の意図を反映するアクセル開度の大きな変化割合に応じてより低速側に変更されるように大きなものとなるが、ステアリング舵角の度合いまたは横加速度の度合いが大きければ小さく変更し直している。これにより、車速制限動作が解除された際に運転者の要求する加速がアクセル開度の変化割合のみならず車両に作用するステアリング舵角の度合いまたは横加速度の度合いに応じてより的確に得られ、運転者の意図に沿った加速をステアリング舵角の度合いまたは横加速度の度合いを考慮しつつより安全に実現することが可能となる。
【００３１】
更に、変速比変更手段をさらに具体的に特定するものとして、以下の構成が掲げられる。つまり、上記変速比変更手段に、上記車速制限解除手段により車速制限動作が解除されたときの変速比を、アクセル開度、または車両の原動機の回転数とタービンの回転数との差回転、および車速により設定された第１の変速比判断条件と、この第１の変速比判断条件とは異なる第２の変速比判断条件とに基づいて変更するように切り換える切換スイッチを備える。そして、上記切換スイッチを、車両の性格、または車両の原動機が発生する出力に応じて切り換えるようにしている。
【００３２】
この特定事項により、アクセル開度または車両の原動機の回転数とタービンの回転数との差回転、および車速により設定された第１の変速比判断条件と、この第１の変速比判断条件とは異なる第２の変速比判断条件とを切り換えて車速制限動作が解除されたときに変速比を変更する切換スイッチが、車両の性格または車両の原動機が発生する出力に応じて切り換えられるので、この切換スイッチを第１の変速比判断条件に切り換えることで、車速制限動作が解除されたときの変速比が第１の変速比判断条件に応じて変更されて、穏やかな加速が得られることになる。一方、切換スイッチを第２の変速比判断条件に切り換えることで、車速制限動作が解除されたときの変速比が第２の変速比判断条件に応じて変更されて、第１の変速比判断条件とは異なる強力な加速が得られることになる。これにより、車両のタイプを選択した運転者の意図通りの加速を実現することが可能となる。
【発明の効果】
【００３３】
以上、要するに、車速制限動作が解除された際の変速比をその車速制限動作が解除される直前のアクセル開度の変化割合に応じて変更することで、車速制限動作が解除された際の変速比を運転者の意図を反映するアクセル開度の変化割合に応じて変更し、車速制限動作が解除された際に運転者の要求する加速が得られ、運転者の意図に沿った加速を実現することができる。
【発明を実施するための最良の形態】
【００３４】
以下、本発明の実施形態を図面に基づいて説明する。
【実施例１】
【００３５】
本発明の実施例１に係る車速制限装置を備えた車両のパワートレーンについて図１を参照して説明する。この例の車両は、ＦＲ（フロントエンジン・リアドライブ）型車両であって、原動機としてのエンジン１、トルクコンバータ２を有する自動変速機３、及び、ＥＣＵ１００などが搭載されており、そのＥＣＵ１００により実行されるプログラムによって本発明の車速制限装置による車速制限動作およびこれの解除動作が実現される。これらエンジン１、トルクコンバータ２、自動変速機３、及び、ＥＣＵ１００の各部について以下に説明する。
【００３６】
−エンジン−
図２に示すように、エンジン１の出力軸であるクランクシャフト１１はトルクコンバータ２の入力軸に接続される。クランクシャフト１１の回転数（エンジン回転数）はエンジン回転数センサ２０１によって検出される。
【００３７】
エンジン１に吸入される空気量は、電子制御式のスロットルバルブ１２により調整される。スロットルバルブ１２は、運転者のアクセルペダル操作とは独立してスロットル開度を電子的に制御することが可能であり、その開度（スロットル開度）はスロットル開度センサ２０２によって検出される。
【００３８】
スロットルバルブ１２のスロットル開度はＥＣＵ１００によって駆動制御される。具体的には、エンジン回転数センサ２０１によって検出されるエンジン回転数、及び、運転者のアクセルペダル踏み込み量（アクセル開度）等のエンジン１の運転状態に応じた最適な吸入空気量（目標吸気量）が得られるようにスロットルバルブ１２のスロットル開度を制御している。より具体的には、スロットル開度センサ２０２を用いてスロットルバルブ１２の実際のスロットル開度を検出し、その実スロットル開度が、上記目標吸気量が得られるスロットル開度（目標スロットル開度）に一致するようにスロットルバルブ１２のスロットルモータをフィードバック制御している。
【００３９】
−トルクコンバータ・自動変速機−
トルクコンバータ２は、入力軸側のポンプ羽根車２１と、出力軸側のタービン羽根車２２（タービン）と、トルク増幅機能を発現するステータ２３と、ワンウェイクラッチ２４とを備え、ポンプ羽根車２１とタービン羽根車２２との間で流体を介して動力伝達を行う。
【００４０】
トルクコンバータ２には、入力軸と出力軸とを直結状態にするロックアップクラッチ２５が設けられており、このロックアップクラッチ２５を完全係合させることにより、ポンプ羽根車２１とタービン羽根車２２とが一体回転する。また、ロックアップクラッチ２５を所定のスリップ状態で係合させることにより、駆動時には所定のスリップ量でタービン羽根車２２がポンプ羽根車２１に追随して回転する。
【００４１】
自動変速機３は、ダブルピニオン型の第１遊星歯車装置３１、シングルピニオン型の第２遊星歯車装置３２、及び、シングルピニオン型の第３遊星歯車装置３３を備えた遊星歯車式の変速機である。
【００４２】
自動変速機３の入力軸３０の回転数（トルクコンバータ２のタービン回転数と同じ）は入力軸回転数センサ２０３によって検出される。また、自動変速機３の出力軸３４の回転数は出力軸回転数センサ２０４によって検出される。
【００４３】
第１遊星歯車装置３１のサンギヤＳ１はクラッチＣ３を介して入力軸３０に選択的に連結される。また、サンギヤＳ１は、ワンウェイクラッチＦ２及びブレーキＢ３を介して非回転部材であるハウジングに選択的に連結され、逆方向（入力軸３０の回転と反対方向）の回転が阻止される。第１遊星歯車装置３１のキャリアＣＡ１は、ブレーキＢ１を介してハウジングに選択的に連結されるとともに、そのブレーキＢ１と並列に設けられたワンウェイクラッチＦ１により、常に逆方向の回転が阻止される。第１遊星歯車装置３１のリングギヤＲ１は、第２遊星歯車装置３２のリングギヤＲ２と一体的に連結されており、ブレーキＢ２を介してハウジングに選択的に連結される。
【００４４】
第２遊星歯車装置３２のサンギヤＳ２は、第３遊星歯車装置３３のサンギヤＳ３と一体的に連結されており、クラッチＣ１を介して入力軸３０に選択的に連結される。第２遊星歯車装置３２のキャリアＣＡ２は、第３遊星歯車装置３３のリングギヤＲ３と一体的に連結されており、クラッチＣ２を介して入力軸３０に選択的に連結されるとともに、ブレーキＢ４を介してハウジングに選択的に連結される。さらに、キャリアＣＡ２は、ブレーキＢ４と並列に設けられたワンウェイクラッチＦ３によって、常に逆方向の回転が阻止される。そして、第３遊星歯車装置３３のキャリアＣＡ３は出力軸３４に一体的に連結されている。
【００４５】
以上の自動変速機３では、摩擦係合要素であるクラッチＣ１〜Ｃ３、ブレーキＢ１〜Ｂ４、及び、ワンウェイクラッチＦ１〜Ｆ３などが、所定の状態に係合または解放されることによってギヤ段（変速段）が設定される。
【００４６】
自動変速機３には、運転者により操作されるシフトレバーが設けられており、そのシフトレバーを操作することにより、例えばＰレンジ（パーキングレンジ）、Ｒレンジ（後進走行レンジ）、Ｎレンジ（ニュートラルレンジ）、Ｄレンジ（前進走行レンジ）等に切り変えることができる。
【００４７】
自動変速機３のクラッチＣ１〜Ｃ３、ブレーキＢ１〜Ｂ４、及び、ワンウェイクラッチＦ１〜Ｆ３の係合・解放状態を図３の作動表に示す。図３の作動表において「●」は「係合」を表し、「空欄」は「解放」を表している。また、「▲」は「エンジンブレーキ時の係合」を表している。
【００４８】
この例の自動変速機３において、１速のギヤ段から２速のギヤ段への変速（１→２変速）は、ブレーキＢ３を係合することにより達成され、エンジンブレーキ作用を発生させる必要があるエンジンブレーキレンジでは、更にブレーキＢ２を係合する。このブレーキＢ２は、ブレーキＢ３よりも相対的に係合トルク容量が小さく設定されている。
【００４９】
２速のギヤ段から３速のギヤ段への変速（２→３変速）は、クラッチＣ３を係合することにより達成され、エンジンブレーキ作用を発生させる必要があるエンジンブレーキレンジでは、更にブレーキＢ１を係合する。また、３速ギヤ段から４速ギヤ段への変速（３→４変速）は、クラッチＣ２を係合することにより達成される。
【００５０】
そして、４速のギヤ段から５速のギヤ段への変速（４→５アップ変速）は、クラッチＣ１を解放すると同時に、ブレーキＢ１を係合するクラッチツウクラッチ変速制御によって達成される。
【００５１】
以上のエンジン１及び自動変速機３（トルクコンバータ２も含む）はＥＣＵ１００によって制御される。
【００５２】
−ＥＣＵ−
ＥＣＵ１００は、図４に示すように、ＣＰＵ１０１、ＲＯＭ１０２、ＲＡＭ１０３及びバックアップＲＡＭ１０４などを備えている。
【００５３】
ＲＯＭ１０２には、車両の基本的な運転に関する制御の他、車両の走行状態に応じて自動変速機３のギヤ段の設定する変速制御を実行するためのプログラムを含む各種プログラムなどが記憶されている。この変速制御の具体的な内容については後述する。
【００５４】
ＣＰＵ１０１は、ＲＯＭ１０２に記憶された各種制御プログラムやマップに基づいて演算処理を実行する。また、ＲＡＭ１０３はＣＰＵ１０１での演算結果や各センサから入力されたデータ等を一時的に記憶するメモリであり、バックアップＲＡＭ１０４はエンジン１の停止時にその保存すべきデータ等を記憶する不揮発性のメモリである。
【００５５】
これらＣＰＵ１０１、ＲＯＭ１０２、ＲＡＭ１０３、及び、バックアップＲＡＭ１０４はバス１０６を介して互いに接続されるとともに、インターフェース１０５と接続されている。
【００５６】
ＥＣＵ１００のインターフェース１０５には、エンジン回転数センサ２０１、スロットル開度センサ２０２、入力軸回転数センサ２０３、出力軸回転数センサ２０４、アクセルペダルの開度つまりアクセル開度を検出するアクセル開度センサ２０５、自動変速機３のシフト位置を検出するシフトポジションセンサ２０６、車両の車速を検出する車速センサ２０７、車両の加速度Ｇを検出する加速度センサ２０８、車両に前後方向から作用する勾配路走行時などの前後走行負荷の度合いを検出する前後走行負荷検出手段としての前後走行負荷センサ２０９、及び、ステアリング舵角の度合いまたは車両に左右方向から作用する横加速度の度合いを検出する左右負荷検出手段としての左右負荷センサ２１０などが接続されており、これらの各センサからの信号がＥＣＵ１００に入力される。
【００５７】
ＥＣＵ１００は、上記した各種センサの出力信号に基づいて、エンジン１のスロットルバルブ１２の開度制御を含むエンジン１の各種制御を実行する。
【００５８】
ＥＣＵ１００は、トルクコンバータ２にロックアップクラッチ制御信号を出力する。このロックアップクラッチ制御信号に基づいてロックアップクラッチ２５の係合圧が制御される。また、ＥＣＵ１００は、自動変速機３にソレノイド制御信号（油圧指令信号）を出力する。このソレノイド制御信号に基づいて、自動変速機３の油圧回路のリニアソレノイドバルブやオンオフソレノイドバルブなどが制御され、所定の変速ギヤ段（１速〜５速）を構成するように、クラッチＣ１〜Ｃ３、ブレーキＢ１〜Ｂ４、及び、ワンウェイクラッチＦ１〜Ｆ３などが、所定の状態に係合または解放される。
【００５９】
さらに、ＥＣＵ１００は、後述する制限車速よりも車両の走行車速が高いときに、走行車速を制限車速に制限する車速制限動作を行う。つまり、運転者によるアクセルペダルの開度によって要求されるスロットル開度に応じた走行車速が、実際の実スロットル開度に応じて制限される制限車速よりも高いときに、車速制限動作を行って上記走行車速を上記制限車速に制限するようにしている。この制限車速は、実スロットル開度に制限を加えた制限スロットル開度に応じて設定され、実スロットル開度が制限スロットル開度よりも大きくならないような車速制限動作が行われる。この場合、制限車速の設定は、運転席のダッシュボード付近に設けられた手動スイッチにより行われ、車速制限動作の解除も上記手動スイッチにより行うことが可能である。
【００６０】
そして、ＥＣＵ１００は変速制御手段を備え、この変速制御手段により下記の「変速制御」を実行する。
【００６１】
まず、この例の変速制御に用いる変速マップについて図５を参照して説明する。
【００６２】
図５に示す変速マップは、車速及びスロットル開度をパラメータとし、それら車速及びスロットル開度に応じて、適正なギヤ段を求めるための複数の領域が設定されたマップであって、ＥＣＵ１００のＲＯＭ１０２内に記憶されている。変速マップの各領域は複数の変速線（ギヤ段の切り換えライン）によって区画されている。なお、図５に示す変速マップでは、シフトダウン変更線のみを示している。
【００６３】
次に、変速制御の基本動作について説明する。
【００６４】
ＥＣＵ１００は、車速センサ２０７、スロットル開度センサ２０２およびアクセル開度センサ２０５の出力信号に基づいて、図５の変速マップを参照して目標ギヤ段を算出し、その目標ギヤ段と現在のギヤ段とを比較して変速操作が必要であるか否かを判定する。
【００６５】
その判定結果により、変速の必要がない場合（目標ギヤ段と現在のギヤ段とが同じで、ギア段が適切に設定されている場合）には、現在のギヤ段を維持するソレノイド制御信号（油圧指令信号）を自動変速機３に出力する。
【００６６】
一方、目標ギヤ段と現在のギヤ段とが異なる場合には変速制御を行う。例えば、自動変速機３のギヤ段が「５速」の状態で走行している状況から、車両の走行状態が変化して、シフトダウン変更線［５→４］を跨いで変化した場合、変速マップから算出される目標ギヤ段が「４速」となり、その４速のギヤ段を設定するソレノイド制御信号（油圧指令信号）を自動変速機３に出力して、５速のギヤ段から４速のギヤ段への変速（５→４ダウン変速）を行う。
【００６７】
また、ＥＣＵ１００のＣＰＵ１０１は、アクセル開度センサ２０５の出力信号（アクセル開度）によりそのアクセル開度の変化割合を算出するアクセル開度変化割合算出手段２２１を備えている。更に、ＣＰＵ１０１は、車速制限動作を解除する車速制限解除手段を備え、この車速制限解除手段によって車速制限動作が一時的に解除つまりオーバライドされる。この車速制限解除手段は、アクセル開度変化割合算出手段２２１により算出されたアクセル開度の変化割合ｄｐａｐｂｆと、ＲＯＭ１０２に記憶されたアクセル開度の第１の所定の変化割合Ｘ１とを比較し、アクセル開度変化割合算出手段２２１によるアクセル開度の変化割合ｄｐａｐｂｆがＲＯＭ１０２の第１の所定の変化割合Ｘ１よりも大きいとき（ｄｐａｐｂｆ＞Ｘ１）に、車走制限動作を解除するものである。また、ＲＯＭ１０２は、アクセル開度の第１の所定の変化割合Ｘ１よりも大きな第２の所定の変化割合Ｘ２（Ｘ２＞Ｘ１）、及び、この第２の所定の変化割合Ｘ２よりも大きな第３の所定の変化割合Ｘ３（Ｘ３＞Ｘ２）を予め記憶している。
【００６８】
そして、ＥＣＵ１００は、車速制限解除手段により車速制限動作が解除された際のギヤ段（変速比）を、車速制限動作が解除される直前にアクセル開度変化割合算出手段２２１により算出されたアクセル開度の変化割合ｄｐａｐｂｆに応じて変更する変速比変更手段としてのギヤ段変更手段を備えている。
【００６９】
このギヤ段変更手段には、車速制限解除手段により車速制限動作が解除されたときのギヤ段の変更を、図６に示すように、車速とアクセル開度とにより設定された第１のギヤ段判断条件（第１の変速比判断条件）つまり図５の変速マップの各シフトダウン変更線に基づいて１段ずつ段階的に行う場合と、図７に示すように、この第１のギヤ段判断条件とは異なる第２のギヤ段判断条件（第２の変速比判断条件）つまりアクセル開度の変化割合ｄｐａｐｂｆに基づいてギヤ段の飛び越しにより複数段一度に行う場合とに切り換える切換スイッチを備えている。本実施例では、切換スイッチは、第２のギヤ段判断条件に切り換えられており、この第２のギヤ段判断条件に基づいて車速制限動作が解除された際のギヤ段を変更している。なお、切換スイッチは、車両の性格、または車両に搭載されるエンジン（原動機）が発生する出力に応じて切り換えられるようにしている。
【００７０】
そして、ギヤ段変更手段は、車速制限動作が解除された際のギヤ段を、図８に細かい破線で示すように、その車速制限動作が解除される直前のアクセル開度の変化割合ｄｐａｐｂｆが第２の所定の変化割合Ｘ２よりも小さいとき（ｄｐａｐｂｆ＜Ｘ２）にＬｏギヤ側に１つ小さいギヤ段に、図８に粗い破線で示すように、車速制限動作が解除される直前のアクセル開度の変化割合ｄｐａｐｂｆが第２の所定の変化割合Ｘ２よりも大きくかつ第３の所定の変化割合Ｘ３よりも小さいとき（Ｘ２≦ｄｐａｐｂｆ＜Ｘ３）にＬｏギヤ側に２つ小さいギヤ段に、更に、図８に実線で示すように、車速制限動作が解除される直前のアクセル開度の変化割合ｄｐａｐｂｆが第３の所定の変化割合Ｘ３よりも大きいとき（ｄｐａｐｂｆ＞Ｘ３）にＬｏギヤ側に実現可能な最小のギヤ段にそれぞれ変更している。つまり、ギヤ段変更手段では、車速制限動作が解除された際のギヤ段を、その車速制限動作が解除される直前のアクセル開度の変化割合ｄｐａｐｂｆが小さいほどＬｏギヤ側に小さく変更している一方、車速制限動作が解除される直前のアクセル開度の変化割合ｄｐａｐｂｆが大きいほどＬｏギヤ側に大きく変更している。
【００７１】
ここで、ＥＣＵ１００の車速制限動作解除後における自動変速機３のギヤ段の変速制御の流れを図９のフローチャートに基づいて説明する。
【００７２】
先ず、図９のフローチャートのステップＳＴ１において、走行車速を制限車速に制限する車速制限動作中であるか否かを判定する。この車速制限動作は、図１０に示すように、自動変速機３のギヤ段が「５速」の状態で走行している状況（目標ギヤ段と現在のギヤ段とが同じで、ギア段が適切に設定されている状況）から車両の走行状態が変化、例えばアクセルペダルを踏み込んだ際のアクセル開度センサ２０５によって要求されるスロットル開度（図１０中に実線で示す）に応じた走行車速が、実際の実スロットル開度（図１０中に実線で示す）に応じて制限される制限車速（図１０に破線で示す）よりも高くなる際に、実スロットル開度が制限スロットル開度（図１０に二点鎖線で示す）よりも大きくならないように制限して、走行車速を制限車速に制限する動作のことである。
【００７３】
そして、上記ステップＳＴ１の判定が、車速制限動作中であるときに、ステップＳＴ２に進んで、車速制限動作を一時的に解除するオーバライドの要求が有ったか否かを判定する。このオーバライドの要求は、アクセル開度変化割合算出手段２２１によるアクセル開度の変化割合ｄｐａｐｂｆがＲＯＭ１０２の第１の所定の変化割合Ｘ１よりも大きいとき（ｄｐａｐｂｆ＞Ｘ１）に有ったものと判定される。
【００７４】
このステップＳＴ２の判定が、オーバライドの要求が有ったＹＥＳの場合には、ステップＳＴ３において、車速制限動作が解除される直前のアクセル開度の変化割合ｄｐａｐｂｆが第２の所定の変化割合Ｘ２よりも小さいか否か、つまり『ｄｐａｐｂｆ＜Ｘ２』を判定する。このステップＳＴ３の判定が、『ｄｐａｐｂｆ＜Ｘ２』であるＹＥＳの場合には、ステップＳＴ４に進んで、車速制限動作が解除された際のギヤ段「５速」を、シフトダウン変更線「５→４」を跨いでＬｏギヤ側に１つ小さいギヤ段「４速」に変更する。つまり、車速制限動作が解除される直前のアクセル開度の変化割合ｄｐａｐｂｆが第２の所定の変化割合Ｘ２よりも小さいことが入力されると、図５中実線矢印で示すように、ギヤ段が「５速」の状態で走行している状況からシフトダウン変更線「５→４」を１つ跨いで変化し、変速マップから算出される目標ギヤ段が「４速」となり、その「４速」のギヤ段を設定するソレノイド制御信号（油圧指令信号）を自動変速機３に出力して、「５速」のギヤ段をＬｏギヤ側に１つ小さい「４速」のギヤ段に変更する。その後、ステップＳＴ５において、ギヤ段の変更制御を終了する。
【００７５】
一方、上記ステップＳＴ３の判定が、『ｄｐａｐｂｆ≧Ｘ２』であるＮＯの場合には、ステップＳＴ６において、車速制限動作が解除される直前のアクセル開度の変化割合ｄｐａｐｂｆが第３の所定の変化割合Ｘ３よりも小さいか否か、つまり『ｄｐａｐｂｆ＜Ｘ３』を判定する。このステップＳＴ６の判定が、『ｄｐａｐｂｆ＜Ｘ３』であるＹＥＳの場合には、ステップＳＴ７に進んで、車速制限動作が解除された際のギヤ段「５速」を、２つ小さい「３速」のギヤ段に変更する。つまり、車速制限動作が解除される直前のアクセル開度の変化割合ｄｐａｐｂｆが第２の所定の変化割合Ｘ２よりも大きくかつ第３の所定の変化割合Ｘ３よりも小さいことが入力されると、図５中破線矢印で示すように、ギヤ段が「５速」の状態で走行している状況から複数のシフトダウン変更線「５→４」および「４→３」を飛び越して変化し、変速マップから算出される目標ギヤ段が「３速」となり、その「３速」のギヤ段を設定するソレノイド制御信号（油圧指令信号）を自動変速機３に出力して、「５速」のギヤ段からＬｏギヤ側に２つ小さい「３速」のギヤ段への変更（５→３ダウン変速）を行う。その後、上記ステップＳＴ５に進む。
【００７６】
また、上記ステップＳＴ６の判定が、『ｄｐａｐｂｆ≧Ｘ３』であるＮＯの場合には、ステップＳＴ８に進んで、車速制限動作が解除された際のギヤ段「５速」を、実現可能な最小の「２速」のギヤ段に変更する。つまり、車速制限動作が解除される直前のアクセル開度の変化割合ｄｐａｐｂｆが第３の所定の変化割合Ｘ３よりも小さいことが入力されると、図５中破線矢印で示すように、ギヤ段が「５速」の状態で走行している状況から複数のシフトダウン変更線「５→４」、「４→３」および「３→２」を飛び越して変化し、変速マップから算出される目標ギヤ段が「２速」となり、その「２速」のギヤ段を設定するソレノイド制御信号（油圧指令信号）を自動変速機３に出力して、「５速」のギヤ段からＬｏギヤ側に３つ小さい「２速」のギヤ段への変速（５→２ダウン変速）を行う。その後、上記ステップＳＴ５に進む。
【００７７】
しかる後、ステップＳＴ９において、走行車速が制限車速よりも小さく（例えば、５ｋｍ／ｈ程度低く）なるまで待機する。そして、上記ステップＳＴ９の判定が、走行車速が制限速度よりも小さくなった時点で、ステップＳＴ１０に進み、車速制限動作を復帰し、走行車速を制限車速に制限する。
【００７８】
この場合、上記ステップＳＴ２により車速制限解除手段が構成され、ステップＳＴ３ないしステップＳＴ８により変速比変更手段としてのギヤ段変更手段が構成されている。
【００７９】
このように、車速制限動作を解除するに当たり、アクセルペダルを踏み込んだ際のアクセル開度の変化割合ｄｐａｐｂｆが第１の所定の変化割合Ｘ１よりも大きいとき（ｄｐａｐｂｆ＞Ｘ１）に、車速制限動作が一時的に解除される。そして、車速制限動作が解除されると、その車速制限動作が解除された際のギヤ段は、車速制限動作が解除される直前のアクセル開度の変化割合ｄｐａｐｂｆに応じて変更される。つまり、車速制限動作が解除された際のギヤ段は、車速制限動作が解除される直前のアクセル開度の変化割合ｄｐａｐｂｆが第２の所定の変化割合Ｘ２よりも小さいとき（ｄｐａｐｂｆ＜Ｘ２）にＬｏギヤ側に１つだけ小さいギヤ段に、車速制限動作が解除される直前のアクセル開度の変化割合ｄｐａｐｂｆが第２の所定の変化割合Ｘ２よりも大きくかつ第３の所定の変化割合Ｘ３よりも小さいとき（Ｘ２≦ｄｐａｐｂｆ＜Ｘ３）にＬｏギヤ側に２つ小さいギヤ段に、更に、車速制限動作が解除される直前のアクセル開度の変化割合ｄｐａｐｂｆが第３の所定の変化割合Ｘ３よりも大きいとき（ｄｐａｐｂｆ≧Ｘ３）にＬｏギヤ側に実現可能な最小のギヤ段にそれぞれ変更される。このため、運転者が緩加速を要求しているときには運転者の意図を反映するアクセル開度の小さな変化割合ｄｐａｐｂｆが第２の所定の変化割合Ｘ２よりも小さくなるためにＬｏギヤ側に僅かに１段だけ変更されるように小さなものとなる一方、運転者が急加速を要求しているときには運転者の意図を反映するアクセル開度の大きな変化割合ｄｐａｐｂｆが第３の所定の変化割合Ｘ３よりも大きくなるためによりＬｏギヤ側となる実現可能な最小のギヤ段に変更されるように大きなものとなる。これにより、車速制限動作が解除された際に運転者の要求する加速が得られ、運転者の意図に沿った加速を実現することができる。
【００８０】
また、車速制限動作が解除された際のギヤ段が、その車速制限動作が解除される直前のアクセル開度の変化割合ｄｐａｐｂｆに応じて変更されることにより、運転者によるアクセルペダルの踏み込み方次第で車速制限動作が解除された際のギヤ段が決定されることになる。これにより、高出力のエンジン（原動機）を備えた車両やファミリータイプの車両などの穏やかな加速を要求する車両や、低出力のエンジンを備えた車両やスポーツタイプの車両などの強力な加速を要求する車両などのように性格の相反する車両に対して別個の制御プログラムを複数用意して車速制限動作が解除された際のギヤ段を個々に決定しなくとも単一の制御プログラムによって運転者の望む加速が得られ、車速制限動作が解除された際のギヤ段を決定する制御プログラムの共用化を図ることができる。
【００８１】
しかも、アクセル開度の変化割合ｄｐａｐｂｆが第１の所定割合Ｘ１以上であるときに車速制限動作が解除され、そのときの第１の所定割合Ｘ１を超えるアクセル開度の変化割合ｄｐａｐｂｆに応じてギヤ段が変更されることにより、第１の所定割合Ｘ１を超えるアクセル開度の変化割合ｄｐａｐｂｆに応じて変更されたギヤ段によって、車速制限動作が解除された際に運転者の要求する加速がスムーズに得られ、運転者の意図に沿った加速を円滑に実現することができる。
【００８２】
更に、車速制限動作が解除されたときのギヤ段の変更を、図６に示すように、車速とアクセル開度とにより設定された第１のギヤ段判断条件つまり図５に示す変速マップの各シフトダウン変更線（第１の変速比判断条件）に基づいて１段ずつ段階的に行う場合と、図７に示すように、この第１のギヤ段判断条件とは異なる第２のギヤ段判断条件（第２の変速比判断条件）つまりアクセル開度の変化割合ｄｐａｐｂｆに基づいて複数段一度に行う場合とに切り換える切換スイッチが設けられ、この切換スイッチが、車両の性格、または車両に搭載されるエンジンが発生する出力に応じて切り換えられているので、この切換スイッチを第１のギヤ段判断条件に切り換えることで、車速制限動作が解除されたときのギヤ段が第１のギヤ段判断条件に応じて変更されて、穏やかな加速が得られることになる。一方、切換スイッチを第２のギヤ段判断条件に切り換えることで、車速制限動作が解除されたときのギヤ段が第２のギヤ段判断条件に応じて変更されて、第１のギヤ段判断条件とは異なる強力な加速が得られることになる。これにより、車両のタイプを選択した運転者の意図通りの加速を実現することができる。
【実施例２】
【００８３】
次に、本発明の実施例２を図１１に基づいて説明する。
【００８４】
この実施例２では、ギヤ段変更手段によるギヤ段の変更をアクセル開度の変化割合に加えその他のパラメータとしての前後走行負荷の度合いにより行うようにしている。
【００８５】
すなわち、本実施例２では、ＥＣＵ１００のＲＯＭ１０２に、前後走行負荷の第１の所定の度合いＹ１が予め記憶されている。
【００８６】
そして、ギヤ段変更手段は、車速制限動作が解除されたときのギヤ段を、その車速制限動作が解除される直前にアクセル開度変化割合算出手段２２１により算出されたアクセル開度の変化割合および前後走行負荷センサ２０９により検出された前後走行負荷の度合いに応じて変更している。
【００８７】
このギヤ段変更手段は、車速制限動作が解除される直前のアクセル開度の変化割合ｄｐａｐｂｆが第２の所定の変化割合Ｘ２よりも小さいとき（ｄｐａｐｂｆ＜Ｘ２）にＬｏギヤ側に１つ小さい「４速」のギヤ段に変更される車速制限動作解除時の「５速」のギヤ段を、前後走行負荷センサ２０９により検出された前後走行負荷の度合いｌｏａｄｂｆがＲＯＭ１０２の前後走行負荷の第１の所定の度合いＹ１よりも大きいとき（ｌｏａｄｂｆ＞Ｙ１）に大きく変更し直す、つまりＬｏギヤ側にさらに１つ小さな「３速」のギヤ段となるように大きく変更し直している。一方、車速制限動作が解除される直前のアクセル開度の変化割合ｄｐａｐｂｆが第２の所定の変化割合Ｘ２よりも大きくかつ第３の所定の変化割合Ｘ３よりも大きいとき（ｄｐａｐｂｆ≧Ｘ３）に実現可能な最小の「２速」のギヤ段に変更される車速制限動作解除時の「５速」のギヤ段を、前後走行負荷センサ２０９により検出された前後走行負荷の度合いｌｏａｄｂｆがＲＯＭ１０２の前後走行負荷の第１の所定の度合いＹ１よりも小さいときに小さく変更し直す、つまりＬｏギヤ側に３つ小さくなる「２速」のギヤ段をＨｉギヤ側に１つ大きい「３速」のギヤ段に変更し直している。要するに、ギヤ段変更手段では、車速制限動作が解除される直前のアクセル開度の変化割合ｄｐａｐｂｆが小さいほど小さく変更されるギヤ段を、前後走行負荷の度合いｌｏａｄｂｆが大きいときに大きく変更し直している一方、車速制限動作が解除される直前のアクセル開度の変化割合ｄｐａｐｂｆが大きいほど大きく変更されるギヤ段を、前後走行負荷の度合いｌｏａｄｂｆが小さいときに小さく変更し直している。
【００８８】
ここで、ＥＣＵ１００による車速制限動作中における自動変速機のギヤ段の変速制御の流れを図１１のフローチャートに基づいて説明する。この場合においても、自動変速機３のギヤ段が「５速」の状態で走行している状況（目標ギヤ段と現在のギヤ段とが同じで、ギア段が適切に設定されている状況）であるものとする。
【００８９】
先ず、図１１のフローチャートのステップＳＴ２１において、走行車速を制限車速に制限する車速制限動作中であるか否かを判定し、このステップＳＴ２１の判定が、車速制限動作中であるときに、ステップＳＴ２２に進んで、車速制限動作を一時的に解除するオーバライドの要求（ｄｐａｐｂｆ＞Ｘ１）が有ったか否かを判定する。
【００９０】
このステップＳＴ２２の判定が、オーバライドの要求が有ったＹＥＳの場合には、ステップＳＴ２３において、車速制限動作が解除される直前のアクセル開度の変化割合ｄｐａｐｂｆが第２の所定の変化割合Ｘ２および第３の所定の変化割合Ｘ３よりも小さいか否か、つまり『ｄｐａｐｂｆ＜Ｘ２、ｄｐａｐｂｆ＜Ｘ３』を判定する。このステップＳＴ２３の判定が、『ｄｐａｐｂｆ＜Ｘ２』であるＹＥＳの場合には、ステップＳＴ２４において、前後走行負荷センサ２０９により検出された前後走行負荷の度合いｌｏａｄｂｆがＲＯＭ１０２の前後走行負荷の第１の所定の度合いＹ１よりも小さいか否か、つまり『ｌｏａｄｂｆ＜Ｙ１』を判定する。
【００９１】
このステップＳＴ２４の判定が、『ｌｏａｄｂｆ＜Ｙ１』であるＹＥＳの場合には、ステップＳＴ２５において、車速制限動作が解除される直前のアクセル開度の変化割合ｄｐａｐｂｆが第２の所定の変化割合Ｘ２よりも小さいとき（ｄｐａｐｂｆ＜Ｘ２）にＬｏギヤ側に１つ小さい「４速」のギヤ段に変更される車速制限動作解除時の「５速」のギヤ段を、前後走行負荷の度合いｌｏａｄｂｆによって変更し直すことなく、第２の所定の変化割合Ｘ２よりも小さなアクセル開度の変化割合ｄｐａｐｂｆに応じてＬｏギヤ側に１つ小さい「４速」のギヤ段とする。その後、ステップＳＴ２６において、ギヤ段の変更制御を終了する。
【００９２】
また、上記ステップＳＴ２４の判定が、『ｌｏａｄｂｆ≧Ｙ１』であるＮＯの場合には、ステップＳＴ２７において、車速制限動作が解除される直前のアクセル開度の変化割合ｄｐａｐｂｆが第２の所定の変化割合Ｘ２よりも小さいとき（ｄｐａｐｂｆ＜Ｘ２）にＬｏギヤ側に１つ小さい「４速」のギヤ段に変更される車速制限動作解除時の「５速」のギヤ段を、第１の所定の度合いＹ１よりも大きい前後走行負荷の度合いｌｏａｄｂｆに応じてＬｏギヤ側にさらに１つ小さい「３速」のギヤ段となるように大きく変更し直した後、上記ステップＳＴ２６に進む。
【００９３】
一方、上記ステップＳＴ２３の判定が、車速制限動作が解除される直前のアクセル開度の変化割合ｄｐａｐｂｆが第２の所定の変化割合Ｘ２および第３の所定の変化割合Ｘ３よりも大きい（ｄｐａｐｂｆ≧Ｘ３）ＮＯの場合には、ステップＳＴ２８において、『ｌｏａｄｂｆ＜Ｙ１』を判定する。
【００９４】
このステップＳＴ２８の判定が、『ｌｏａｄｂｆ＜Ｙ１』であるＹＥＳの場合には、上記ステップＳＴ２７において、車速制限動作が解除される直前のアクセル開度の変化割合ｄｐａｐｂｆが第３の所定の変化割合Ｘ３よりも大きいとき（ｄｐａｐｂｆ＜Ｘ３）にＬｏギヤ側に実現可能な最小の「２速」のギヤ段に変更される車速制限動作解除時の「５速」のギヤ段を、第１の所定の度合いＹ１よりも小さい前後走行負荷の度合いｌｏａｄｂｆに応じてＨｉギヤ側に１つ大きい「３速」のギヤ段となるように小さく変更し直した後、上記ステップＳＴ２６に進む。
【００９５】
また、ステップＳＴ２８の判定が、『ｌｏａｄｂｆ≧Ｙ１』であるＮＯの場合には、ステップＳＴ２９において、車速制限動作が解除される直前のアクセル開度の変化割合ｄｐａｐｂｆが第３の所定の変化割合Ｘ３よりも大きいとき（ｄｐａｐｂｆ＜Ｘ３）に実現可能な最小のギヤ段「２速」に変更される車速制限動作解除時のギヤ段「５速」を、前後走行負荷の度合いｌｏａｄｂｆによって変更し直すことなく、第３の所定の変化割合Ｘ３よりも大きなアクセル開度の変化割合ｄｐａｐｂｆに応じた実現可能な最小の「２速」のギヤ段とした後、上記ステップＳＴ２６に進む。
【００９６】
しかる後、ステップＳＴ３０において、走行車速が制限車速よりも小さく（例えば、５ｋｍ／ｈ程度低く）なるまで待機した後、ステップＳＴ３１において、車速制限動作を復帰し、走行車速を制限車速に制限する。
【００９７】
この場合、上記ステップＳＴ２２により車速制限解除手段が構成され、ステップＳＴ２３ないしステップＳＴ２９により変速比変更手段としてのギヤ段変更手段が構成されている。
【００９８】
このように、車速制限動作が解除された際の「５速」のギヤ段からの変更は、運転者が緩加速を要求しているときには、運転者の意図を反映するように、第２の所定の変化割合Ｘ２よりも小さなアクセル開度の変化割合ｄｐａｐｂｆに応じてＬｏギヤ側に１つ小さな「４速」のギヤ段に変更されるように小さなものとなるが、前後走行負荷の度合いｌｏａｄｂｆが第１の所定の度合いＹ１よりも大きければ、その大きな前後走行負荷の度合いｌｏａｄｂｆに応じてＬｏギヤ側にさらに１つ小さい「３速」のギヤ段となるように大きく変更し直されている。一方、車速制限動作が解除された際の「５速」のギヤ段からの変更は、運転者が急加速を要求しているときには、運転者の意図を反映するように、第３の所定の変化割合Ｘ３よりも大きなアクセル開度の変化割合ｄｐａｐｂｆに応じて実現可能な最小の「２速」のギヤ段に変更されるように大きなものとなるが、前後走行負荷の度合いｌｏａｄｂｆが第１の所定の度合いＹ１よりも小さければ、その小さな前後走行負荷の度合いｌｏａｄｂｆに応じてＨｉギヤ側に１つ大きな「３速」のギヤ段となるように小さく変更し直されている。これにより、車速制限動作が解除された際に運転者の要求する加速がアクセル開度の変化割合ｄｐａｐｂｆのみならず車両に作用する前後走行負荷の度合いｌｏａｄｂｆに応じて的確に得られ、運転者の意図に沿った加速を前後走行負荷の度合いｌｏａｄｂｆを考慮しつつ実現することができる。
【００９９】
なお、本発明は、上記各実施例に限定されるものではなく、その他種々の変形例を包含している。例えば、上記実施例１では、車速制限動作が解除された際のギヤ段を、車速制限動作が解除される直前のアクセル開度の変化割合ｄｐａｐｂｆが小さいほど小さく変更する一方、車速制限動作が解除される直前のアクセル開度の変化割合ｄｐａｐｂｆが大きいほど大きく変更したが、車速制限動作が解除された際のギヤ段を、車速制限動作が解除される直前に前後走行負荷検出手段により検出された前後走行負荷の度合いが大きいほど大きく変更する一方、車速制限動作が解除される直前に前後走行負荷検出手段により検出された前後走行負荷の度合いが小さいほど小さく変更するギヤ段変更手段であってもよい。具体的には、車速制限動作が解除された際のギヤ段を、車速制限動作が解除される直前の前後走行負荷の度合いｌｏａｄｂｆが第１の所定の度合いＹ１よりも小さいとき（ｌｏａｄｂｆ＜Ｙ１）にＬｏギヤ側に１つ小さいギヤ段に、車速制限動作が解除される直前の前後走行負荷の度合いｌｏａｄｂｆが第１の所定の度合いＹ１よりも大きくかつ第２の所定の度合いＹ２よりも小さいとき（Ｙ１≦ｌｏａｄｂｆ＜Ｙ２）にＬｏギヤ側に２つ小さいギヤ段に、更に、車速制限動作が解除される直前の前後走行負荷の度合いｌｏａｄｂｆが第２の所定の度合いＹ２よりも大きいとき（ｌｏａｄｂｆ≧Ｙ２）にＬｏギヤ側に実現可能な最小のギヤ段にそれぞれ変更するギヤ段変更手段であってもよい。この場合には、車速制限動作が解除された際に運転者の要求する加速が前後走行負荷の度合いｌｏａｄｂｆに応じて的確に得られ、運転者の意図に沿った加速を実現することが可能となる。
【０１００】
これに対し、車速制限動作が解除された際のギヤ段を、車速制限動作が解除される直前に左右負荷センサにより検出されたステアリング舵角の度合いまたは車両に左右方向から作用する横加速度の度合いが小さいほど大きく変更する一方、車速制限動作が解除される直前に左右負荷検出手段により検出されたステアリング舵角の度合いまたは横加速度の度合いが大きいほど小さく変更するギヤ段変更手段であってもよい。具体的には、車速制限動作が解除される直前に左右負荷センサにより検出されたステアリング舵角の度合いまたは横加速度の度合いを第１の所定の度合いおよびこれよりも大きな第２の所定の度合いと比較し、車速制限動作が解除された際のギヤ段を、車速制限動作が解除される直前のステアリング舵角の度合いまたは横加速度の度合いが第２の所定の度合いよりも大きいときにＬｏギヤ側に１つ小さいギヤ段に、車速制限動作が解除される直前のステアリング舵角の度合いまたは横加速度の度合いが第２の所定の度合いよりも小さくかつ第１の所定の度合いよりも大きいときにＬｏギヤ側に２つ小さいギヤ段に、更に、車速制限動作が解除される直前のステアリング舵角の度合いまたは横加速度の度合いが第１の所定の度合いよりも小さいときにＬｏギヤ側に実現可能な最小のギヤ段にそれぞれ変更するギヤ段変更手段であってもよい。この場合には、車速制限動作が解除された際に運転者の要求する加速がステアリング舵角の度合いまたは横加速度の度合いに応じて的確に得られ、運転者の意図に沿った加速を実現することが可能となる。
【０１０１】
また、上記実施例２では、ギヤ段変更手段によるギヤ段の変更をアクセル開度の変化割合ｄｐａｐｂｆに加え、前後走行負荷の度合いｌｏａｄｂｆにより行うようにしたが、ギヤ段変更手段によるギヤ段の変更がアクセル開度の変化割合に加え、車速制限動作が解除される直前のステアリング舵角の度合いまたは横加速度の度合いに応じて行われるようにしてもよい。
【０１０２】
また、上記各実施例では、自動変速機３を有段変速タイプの遊星歯車機構とした例を挙げているが、有段変速タイプの歯車機構や、ベルト式やトロイダル式の無段変速機構とすることが可能である。この場合、ベルト式の無段変速機構のものでは、図示していないが、一対のプーリにベルトを巻き掛けた構成になっていて、上記プーリの有効径を油圧によって変化させることで連続的に変速比を変更させて無段の変速を実現するようにしている。
【０１０３】
また、上記各実施例では、５速の変速ギヤ段に変速可能な自動変速機３について述べたが、５速の変速ギヤ段に変速可能なものに限定されることはなく、５速の変速ギヤ段を除く３速以上の変速ギヤ段に変速可能な自動変速機であってもよいのはもちろんである。
【０１０４】
また、上記各実施例では、アクセル開度変化割合算出手段２２１によるアクセル開度の変化割合ｄｐａｐｂｆがＲＯＭ１０２の第１の所定の変化割合Ｘ１よりも大きいとき（ｄｐａｐｂｆ＞Ｘ１）に、車速制限動作を解除するようにしたが、運転席のダッシュボード付近に設けられた手動スイッチ、またはキックダウンスイッチにより車速制限動作が解除されるようにしてもよい。
【０１０５】
更に、上記各実施例では、車速とアクセル開度とにより第１のギヤ段判断条件を設定したが、車速と、車両の原動機の回転数とトルクコンバータのタービン回転数との差回転により第１のギヤ段判断条件（第１の変速比判断条件）が設定されていてもよい。
【図面の簡単な説明】
【０１０６】
【図１】本発明の実施例１に係る車速制限装置を備えた車両の一部を示す概略構成図である。
【図２】同じく車両の自動変速機の一例を示す概略構成図である。
【図３】同じく自動変速機の作動表である。
【図４】同じくＥＣＵ等の制御系の構成を示すブロック図である。
【図５】同じく変速制御に用いる変速マップを示す図である。
【図６】同じく第１のギヤ段判断条件に基づくオーバライド後の車速、アクセル開度、スロットル開度およびギヤ段のそれぞれの時間に対する経過の特性を示すタイムチャート図である。
【図７】同じく第２のギヤ段判断条件に基づくオーバライド後の車速、アクセル開度、スロットル開度およびギヤ段のそれぞれの時間に対する経過の特性を示すタイムチャート図である。
【図８】同じくアクセル開度の変化割合に応じた自動変速機のギヤ段の変更の特性を示すタイムチャート図である。
【図９】同じくＥＣＵの車速制限動作解除後における自動変速機のギヤ段の変速制御の流れを示すフローチャート図である。
【図１０】同じく車速制限動作中における制限車速およびスロットル開度の特性を示す特性図である。
【図１１】本発明の実施例２に係るＥＣＵの車速制限動作解除後における自動変速機のギヤ段の変速制御の流れを示すフローチャート図である。
【符号の説明】
【０１０７】
２０５        アクセル開度センサ（アクセル開度検出手段）
２０９        前後走行負荷センサ（前後走行負荷検出手段）
２１０        左右負荷センサ（左右負荷検出手段）
２２１        アクセル開度変化割合算出手段
ｄｐａｐｂｆ  アクセル開度の変化割合
ｌｏａｄｂｆ  前後走行負荷の度合い
Ｘ１          アクセル開度の第１の所定の変化割合（アクセル開度の所定の変化割合）
【図１】
0004539711.tif 000002
【図２】
0004539711.tif 000003
【図３】
0004539711.tif 000004
【図４】
0004539711.tif 000005
【図５】
0004539711.tif 000006
【図６】
0004539711.tif 000007
【図７】
0004539711.tif 000008
【図８】
0004539711.tif 000009
【図９】
0004539711.tif 000010
【図１０】
0004539711.tif 000011
【図１１】
0004539711.tif 000012